(57)【要約】      （修正有）【課題】高さを調節しやすい水晶テーブルを提供する。【解決手段】ボディー１０と、前記ボディーの上方に位置しているテーブル面３６と前記ボディーの下方に設置された台座１４とを含み、前記ボディーの左右端壁の中には外に開口したスライドチャンバ３８が設置され、前記スライドチャンバの底壁の中には伝動チャンバ４２が設置され、前記スライドチャンバの中にはスライドブロック４０がスライドできるように設置され、前記スライドブロックの中には第一ねじ穴３９が設置され、前記第一ねじ穴の中には第一ねじロッド３７がねじ山によって連結され、前記第一ねじロッドの底部が前記伝動チャンバの中に伸びており、本発明の設備は回転を行うことができ、同時に設備の高度を調節でき、ボディーの内部には廃水溝３５が設置され、効果的に廃水を収められると同時に水晶テーブルの美しさに影響を与えなく、実用性がある。【選択図】図１
2020182779.tif 000002
【特許請求の範囲】
【請求項１】
正面視で、ボディーと前記ボディーの上方に位置しているテーブル面と前記ボディーの下方に設置された台座とを含み、前記ボディーの左右端壁の中には外に開口したスライドチャンバが設置され、前記スライドチャンバの底壁の中には伝動チャンバが設置され、前記スライドチャンバの中にはスライドブロックがスライドできるように設置され、前記スライドブロックの中には第一ねじ穴が設置され、前記第一ねじ穴の中には第一ねじロッドがねじ山によって連結され、前記第一ねじロッドの底部が前記伝動チャンバの中に伸びており、また前記第一ねじロッドの外表面には第一ベベルギヤが固定的に設置され、左側の前記第一ねじロッド底部が前記伝動チャンバの底壁の中に固定的に設置された第一モーターと動力が伝達できるように連結され、左右二つの前記伝動チャンバの間には切換チャンバが設置され、前記切換チャンバの後側壁の中には動力チャンバが設置され、前記切換チャンバの中には固定ブロックがスライドできるように設置され、前記固定ブロックの後側壁の中には第二モーターが固定的に設置され、前記第二モーターの出力軸の末端には第一ギヤが固定的に設置され、前記固定ブロックの中には左右に貫通している第二ねじ穴が設置され、前記第二ねじ穴の中には左右に伸びている第二ねじロッドがねじ山によって連結され、前記第二ねじロッドの左右両側の末端が前記伝動チャンバの中に伸びており、また前記第二ねじロッドの左右両側の末端には前記第一ベベルギヤと噛み合っている第二ベベルギヤが固定的に設置され、前記ボディーの頂壁の中には左右対称の第一スライド穴と左右二つの前記第一スライド穴の間に位置している空きチャンバとが設置され、前記空きチャンバの中には取り外し可能な廃水桶が設置され、前記第一スライド穴の中には前記テーブル面と固定的に連結された第一スライドロッドがスライドできるように設置され、前記第一スライドロッドと前記第一スライド穴の端壁との間には第一復帰装置が弾性を持つように設置され、前記第一スライドロッドの端壁には凹溝が設置され、前記第一スライド穴の端壁の中には第二スライド穴が設置され、前記第二スライド穴の中には第一ラックがスライドできるように設置され、前記第一ラックと前記第二スライド穴の端壁との間には第二復帰装置が弾性を持つように設置され、前記スライドチャンバの端壁の中には第三スライド穴が設置され、前記第三スライド穴の中には第二ラックが設置され、前記第二スライド穴と前記第三スライド穴との間にはギヤチャンバが連通するように設置され、前記ギヤチャンバの中には前記第一ラックと前記第二ラックと噛み合っている第二ギヤが回転できるように設置され、前記テーブル面の頂壁の中には上方に開口した導水溝が設置され、前記導水溝の底壁の中には左右対称の抜き穴が設置され、前記テーブル面の左右端壁の中には外に開口した第四スライド穴が設置され、前記第四スライド穴の中には第二スライドロッドがスライドできるように設置され、前記第二スライドロッドと前記第四スライド穴の端壁との間には第三復帰装置が弾性を持つように設置され、前記第二スライドロッドの外側壁にはヒンジロッドがヒンジで連結され、前記ヒンジロッドの底部末端が前記スライドブロックの端壁にヒンジで連結され、前記第四スライド穴が移動して前記抜き穴を開け、前記テーブル面に残した液体が前記廃水桶の中に流れ込むことを特徴とする調節しやすい水晶テーブル。
【請求項２】
前記動力チャンバの前側壁の中にはウォームホイールチャンバと前記ウォームホイールチャンバの右側に位置している噛み合いチャンバとが設置され、前記噛み合いチャンバと前記動力チャンバとの間には第一回転軸が回転できるように設置され、前記噛み合いチャンバの中にある前記第一回転軸の末端には第三ギヤが固定的に設置され、前記噛み合いチャンバの中にある前記第一回転軸の末端には第三ベベルギヤが固定的に設置され、前記ウォームホイールチャンバと前記動力チャンバとの間にはウォームが回転できるように設置され、前記動力チャンバの中にある前記ウォームの末端には第四ギヤが固定的に設置され、前記ウォームホイールチャンバの底壁の中にはスプラインスリーブが回転できるように設置され、前記ウォームホイールチャンバの中にある前記スプラインスリーブの末端には第五ギヤが固定的に設置され、前記スプラインスリーブの底壁の中には下方に開口したスプライン穴が設置され、前記台座の頂壁には支持柱が固定的に設置され、前記支持柱の外表面には外リングギヤが固定的に設置され、前記支持柱の外表面には回転架台が回転できるように設置され、前記回転架台の中には上下に伸びているスプライン軸が回転できるように設置され、前記スプライン軸の底部末端には前記外リングギヤと噛み合っている第六ギヤが固定的に設置され、前記スプライン軸の頂部末端が前記スプライン穴の中に伸びており、また前記スプライン穴とスプラインによって結合され、前記支持柱の頂壁の中には上方に開口した第三ねじ穴が設置され、前記第三ねじ穴の中には上方へ伸びている第三ねじロッドがねじ山によって連結され、前記第三ねじロッドの頂部が前記噛み合いチャンバの中に伸びており、また前記第三ねじロッドの頂部末端には前記第三ベベルギヤと噛み合っている第四ベベルギヤが固定的に設置され、前記ウォームが回転して前記スプラインスリーブの頂部に設置されたウォームホイールと前記第六ギヤとを回転連動させ、それによって前記ボディーを連動させて前記支持柱を回って回転させることを特徴とする請求項１に記載の調節しやすい水晶テーブル。
【発明の詳細な説明】
【技術分野】
【０００１】
本発明はテーブル分野に関わり、具体的には調節しやすい水晶テーブルである。
【背景技術】
【０００２】
水晶が美しいため、人々は常に水晶を使って日用品を作り、既存の水晶テーブルは体積が大きくて質量が重く、高度を調節しにくく、また使用の時にテーブルを回すことが容易ではなく、そして伝統的な水晶テーブル面に溜まった水を取り除きにくく、水晶テーブルの使用に影響を与え、したがって、上記の問題を解決するため、調節しやすい水晶テーブルの発明は必要となる。
【先行技術文献】
【特許文献】
【０００３】
【特許文献１】中国特許出願公開第１０７９６９７９７号明細書
【発明の概要】
【発明が解決しようとする課題】
【０００４】
本発明は調節しやすい水晶テーブルを提供し、既存技術にある上記の欠点を解消し、設備の実用性を高めることを目的とする。
【課題を解決するための手段】
【０００５】
本発明の調節しやすい水晶テーブルは、ボディーと前記ボディーの上方に位置しているテーブル面と前記ボディーの下方に設置された台座とを含み、前記ボディーの左右端壁の中には外に開口したスライドチャンバが設置され、前記スライドチャンバの底壁の中には伝動チャンバが設置され、前記スライドチャンバの中にはスライドブロックがスライドできるように設置され、前記スライドブロックの中には第一ねじ穴が設置され、前記第一ねじ穴の中には第一ねじロッドがねじ山によって連結され、前記第一ねじロッドの底部が前記伝動チャンバの中に伸びており、また前記第一ねじロッドの外表面には第一ベベルギヤが固定的に設置され、左側の前記第一ねじロッド底部が前記伝動チャンバの底壁の中に固定的に設置された第一モーターと動力が伝達できるように連結され、左右二つの前記伝動チャンバの間には切換チャンバが設置され、前記切換チャンバの後側壁の中には動力チャンバが設置され、前記切換チャンバの中には固定ブロックがスライドできるように設置され、前記固定ブロックの後側壁の中には第二モーターが固定的に設置され、前記第二モーターの出力軸の末端には第一ギヤが固定的に設置され、前記固定ブロックの中には左右に貫通している第二ねじ穴が設置され、前記第二ねじ穴の中には左右に伸びている第二ねじロッドがねじ山によって連結され、前記第二ねじロッドの左右両側の末端が前記伝動チャンバの中に伸びており、また前記第二ねじロッドの左右両側の末端には前記第一ベベルギヤと噛み合っている第二ベベルギヤが固定的に設置され、前記ボディーの頂壁の中には左右対称の第一スライド穴と左右二つの前記第一スライド穴の間に位置している空きチャンバとが設置され、前記空きチャンバの中には取り外し可能な廃水桶が設置され、前記第一スライド穴の中には前記テーブル面と固定的に連結された第一スライドロッドがスライドできるように設置され、前記第一スライドロッドと前記第一スライド穴の端壁との間には第一復帰装置が弾性を持つように設置され、前記第一スライドロッドの端壁には凹溝が設置され、前記第一スライド穴の端壁の中には第二スライド穴が設置され、前記第二スライド穴の中には第一ラックがスライドできるように設置され、前記第一ラックと前記第二スライド穴の端壁との間には第二復帰装置が弾性を持つように設置され、前記スライドチャンバの端壁の中には第三スライド穴が設置され、前記第三スライド穴の中には第二ラックが設置され、前記第二スライド穴と前記第三スライド穴との間にはギヤチャンバが連通するように設置され、前記ギヤチャンバの中には前記第一ラックと前記第二ラックと噛み合っている第二ギヤが回転できるように設置され、前記テーブル面の頂壁の中には上方に開口した導水溝が設置され、前記導水溝の底壁の中には左右対称の抜き穴が設置され、前記テーブル面の左右端壁の中には外に開口した第四スライド穴が設置され、前記第四スライド穴の中には第二スライドロッドがスライドできるように設置され、前記第二スライドロッドと前記第四スライド穴の端壁との間には第三復帰装置が弾性を持つように設置され、前記第二スライドロッドの外側壁にはヒンジロッドがヒンジで連結され、前記ヒンジロッドの底部末端が前記スライドブロックの端壁にヒンジで連結され、前記第四スライド穴が移動して前記抜き穴を開け、前記テーブル面に残した液体が前記廃水桶の中に流れ込む。
【０００６】
好ましくは、前記動力チャンバの前側壁の中にはウォームホイールチャンバと前記ウォームホイールチャンバの右側に位置している噛み合いチャンバとが設置され、前記噛み合いチャンバと前記動力チャンバとの間には第一回転軸が回転できるように設置され、前記噛み合いチャンバの中にある前記第一回転軸の末端には第三ギヤが固定的に設置され、前記噛み合いチャンバの中にある前記第一回転軸の末端には第三ベベルギヤが固定的に設置され、前記ウォームホイールチャンバと前記動力チャンバとの間にはウォームが回転できるように設置され、前記動力チャンバの中にある前記ウォームの末端には第四ギヤが固定的に設置され、前記ウォームホイールチャンバの底壁の中にはスプラインスリーブが回転できるように設置され、前記ウォームホイールチャンバの中にある前記スプラインスリーブの末端には第五ギヤが固定的に設置され、前記スプラインスリーブの底壁の中には下方に開口したスプライン穴が設置され、前記台座の頂壁には支持柱が固定的に設置され、前記支持柱の外表面には外リングギヤが固定的に設置され、前記支持柱の外表面には回転架台が回転できるように設置され、前記回転架台の中には上下に伸びているスプライン軸が回転できるように設置され、前記スプライン軸の底部末端には前記外リングギヤと噛み合っている第六ギヤが固定的に設置され、前記スプライン軸の頂部末端が前記スプライン穴の中に伸びており、また前記スプライン穴とスプラインによって結合され、前記支持柱の頂壁の中には上方に開口した第三ねじ穴が設置され、前記第三ねじ穴の中には上方へ伸びている第三ねじロッドがねじ山によって連結され、前記第三ねじロッドの頂部が前記噛み合いチャンバの中に伸びており、また前記第三ねじロッドの頂部末端には前記第三ベベルギヤと噛み合っている第四ベベルギヤが固定的に設置され、前記ウォームが回転して前記スプラインスリーブの頂部に設置されたウォームホイールと前記第六ギヤとを回転連動させ、それによって前記ボディーを連動させて前記支持柱を回って回転させる。
【発明の効果】
【０００７】
本発明の有益な効果は：本発明の設備は回転を行うことができ、同時に設備の高度を調節でき、ボディーの内部には廃水溝が設置され、効果的に廃水を収められると同時に水晶テーブルの美しさに影響を与えなく、実用性がある。
【図面の簡単な説明】
【０００８】
本発明の実施例又は既存技術の技術プランを詳しく説明するため、下記には実施例又は既存技術の説明に所要の付図を簡単に紹介し、明らかに下記の説明の付図はただ本発明の実施例であり、本分野の普通の技術員にとって、創造的な労働をしない場合、下記の付図から他の付図をもらえることができ、下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【０００９】
【図１】図１は本発明の調節しやすい水晶テーブルの全体構造略図
【図２】図２は図１の中のＡの拡大構造略図
【図３】図３は図１の中のＢ―Ｂの構造略図
【図４】図４は図１の中のＣ―Ｃの構造略図
【図５】図５は図４の中のＤ―Ｄの構造略図
【発明を実施するための形態】
【００１０】
本説明書における公開したあらゆる特徴あるいは公開したあらゆる方法と過程でのステップは、お互いに反発する特徴とステープを除き、どの方式でも組み合わせる。
【００１１】
図１〜５に示すように、本発明の調節しやすい水晶テーブルは、ボディー１０と前記ボディー１０の上方に位置しているテーブル面３６と前記ボディー１０の下方に設置された台座１４とを含み、前記ボディー１０の左右端壁の中には外に開口したスライドチャンバ３８が設置され、前記スライドチャンバ３８の底壁の中には伝動チャンバ４２が設置され、前記スライドチャンバ３８の中にはスライドブロック４０がスライドできるように設置され、前記スライドブロック４０の中には第一ねじ穴３９が設置され、前記第一ねじ穴３９の中には第一ねじロッド３７がねじ山によって連結され、前記第一ねじロッド３７の底部が前記伝動チャンバ４２の中に伸びており、また前記第一ねじロッド３７の外表面には第一ベベルギヤ２３が固定的に設置され、左側の前記第一ねじロッド３７底部が前記伝動チャンバ４２の底壁の中に固定的に設置された第一モーター２２と動力が伝達できるように連結され、左右二つの前記伝動チャンバ４２の間には切換チャンバ６５が設置され、前記切換チャンバ６５の後側壁の中には動力チャンバ６０が設置され、前記切換チャンバ６５の中には固定ブロック６３がスライドできるように設置され、前記固定ブロック６３の後側壁の中には第二モーター６２が固定的に設置され、前記第二モーター６２の出力軸の末端には第一ギヤ６１が固定的に設置され、前記固定ブロック６３の中には左右に貫通している第二ねじ穴６４が設置され、前記第二ねじ穴６４の中には左右に伸びている第二ねじロッド６６がねじ山によって連結され、前記第二ねじロッド６６の左右両側の末端が前記伝動チャンバ４２の中に伸びており、また前記第二ねじロッド６６の左右両側の末端には前記第一ベベルギヤ２３と噛み合っている第二ベベルギヤ４１が固定的に設置され、前記ボディー１０の頂壁の中には左右対称の第一スライド穴２９と左右二つの前記第一スライド穴２９の間に位置している空きチャンバ３４とが設置され、前記空きチャンバ３４の中には取り外し可能な廃水桶３３が設置され、前記第一スライド穴２９の中には前記テーブル面と固定的に連結された第一スライドロッド３１がスライドできるように設置され、前記第一スライドロッド３１と前記第一スライド穴２９の端壁との間には第一復帰装置３０が弾性を持つように設置され、前記第一スライドロッド３１の端壁には凹溝４８が設置され、前記第一スライド穴２９の端壁の中には第二スライド穴４５が設置され、前記第二スライド穴４５の中には第一ラック４７がスライドできるように設置され、前記第一ラック４７と前記第二スライド穴４５の端壁との間には第二復帰装置４６が弾性を持つように設置され、前記スライドチャンバ３８の端壁の中には第三スライド穴５２が設置され、前記第三スライド穴５２の中には第二ラック５１が設置され、前記第二スライド穴４５と前記第三スライド穴５２との間にはギヤチャンバ４９が連通するように設置され、前記ギヤチャンバ４９の中には前記第一ラック４７と前記第二ラック５１と噛み合っている第二ギヤ５０が回転できるように設置され、前記テーブル面３６の頂壁の中には上方に開口した導水溝３５が設置され、前記導水溝３５の底壁の中には左右対称の抜き穴３２が設置され、前記テーブル面３６の左右端壁の中には外に開口した第四スライド穴２８が設置され、前記第四スライド穴２８の中には第二スライドロッド２７がスライドできるように設置され、前記第二スライドロッド２７と前記第四スライド穴２８の端壁との間には第三復帰装置２６が弾性を持つように設置され、前記第二スライドロッド２７の外側壁にはヒンジロッド２４がヒンジで連結され、前記ヒンジロッド２４の底部末端が前記スライドブロック４０の端壁にヒンジで連結され、前記第四スライド穴２８が移動して前記抜き穴３２を開け、前記テーブル面３６に残した液体が前記廃水桶３３の中に流れ込む。
【００１２】
有益なように、前記動力チャンバ６０の前側壁の中にはウォームホイールチャンバ５６と前記ウォームホイールチャンバ５６の右側に位置している噛み合いチャンバ４３とが設置され、前記噛み合いチャンバ４３と前記動力チャンバ６０との間には第一回転軸５８が回転できるように設置され、前記噛み合いチャンバ４３の中にある前記第一回転軸５８の末端には第三ギヤ５９が固定的に設置され、前記噛み合いチャンバ４３の中にある前記第一回転軸５８の末端には第三ベベルギヤ５７が固定的に設置され、前記ウォームホイールチャンバ５６と前記動力チャンバ６０との間にはウォーム５４が回転できるように設置され、前記動力チャンバ６０の中にある前記ウォーム５４の末端には第四ギヤ５３が固定的に設置され、前記ウォームホイールチャンバ５６の底壁の中にはスプラインスリーブ１９が回転できるように設置され、前記ウォームホイールチャンバ５６の中にある前記スプラインスリーブ１９の末端には第五ギヤ５３が固定的に設置され、前記スプラインスリーブ１９の底壁の中には下方に開口したスプライン穴２０が設置され、前記台座１４の頂壁には支持柱１５が固定的に設置され、前記支持柱１５の外表面には外リングギヤ１３が固定的に設置され、前記支持柱１５の外表面には回転架台１２が回転できるように設置され、前記回転架台１２の中には上下に伸びているスプライン軸１８が回転できるように設置され、前記スプライン軸１８の底部末端には前記外リングギヤ１３と噛み合っている第六ギヤ１７が固定的に設置され、前記スプライン軸１８の頂部末端が前記スプライン穴２０の中に伸びており、また前記スプライン穴２０とスプラインによって結合され、前記支持柱１５の頂壁の中には上方に開口した第三ねじ穴１６が設置され、前記第三ねじ穴１６の中には上方へ伸びている第三ねじロッド１１がねじ山によって連結され、前記第三ねじロッド１１の頂部が前記噛み合いチャンバ４３の中に伸びており、また前記第三ねじロッド１１の頂部末端には前記第三ベベルギヤ５７と噛み合っている第四ベベルギヤ４４が固定的に設置され、前記ウォーム５４が回転して前記スプラインスリーブ１９の頂部に設置されたウォームホイール５５と前記第六ギヤ１７とを回転連動させ、それによって前記ボディー１０を連動させて前記支持柱１５を回って回転させる。
【００１３】
以下、出願人は付図１〜５及び上記本出願の調節しやすい水晶テーブルの具体的な構成を参考して本願の調節しやすい水晶テーブルの作動の流れを詳しく紹介する：
【００１４】
本水晶テーブルを使う時、第二モーター６２が起動して第一ギヤ６１を回転連動させ、それによって第四ギヤ５３を回転連動させ、それによってウォーム５４と、ウォームホイール５５と第六ギヤ１７とを回転連動させ、それによってボディー１０を連動させて支持柱１５を回って回転させて位置を調節し、本発明の調節しやすい水晶テーブルで操作した後に第一モーター２２が第二ねじロッド３７を回転連動させ、それによってスライドブロック４０を上方へ移動連動させ、スライドブロック４０が上方へ移動してヒンジロッド２４を上方へ移動連動させて第二スライドロッド２７を引き動かして第四スライド穴２８から移り出し、この時に抜き穴３２が開き、テーブル面３６に残した液体が廃水桶３３の中に流れ込み、スライドブロック４０が上方へ移動し続け、スライドブロック４０が第二ラック５１と当接する時、第一ラック４７が移動して凹溝４８を出て、この時に第一スライドロッド３１が第一復帰装置３０の作用の下で上方へ移動し、同時に第二スライドロッド２７が第三復帰装置２６の作用の下で第四スライド穴２８の中に引き込まれ、この時にテーブル面３６がボディー１０から分離したため、廃水桶３３を取り出すことに便利を与え、同時に第一モーター２２が回転して第一ねじロッド６６を回転連動させ、それによって固定ブロック６３を右方へ移動連動させ、それによって第一ギヤ６１を連動させて第五ギヤ５９と噛み合わせ、この時に第二モーター６２が起動して第二モーター６２の回転が第一ギヤ６１と、第五ギヤ５９と、第三ベベルギヤ５７と、第四ベベルギヤ４４と第三ねじロッド１１とを回転連動させ、それによってボディー１０を上方へ移動連動させ、それによって設備の高度を調節し、調節が終わった後に第一モーター２２が起動して第一モーター２２の反転がスライドブロック４０を下方へ移動連動させ、それによってテーブル面３６を下方へ移動連動させ、設備が初期状態に戻り、使用に便利を与える。
【００１５】
以上の詳しい分析からわかっているのは：本発明の設備は回転を行うことができ、同時に設備の高度を調節でき、ボディーの内部には廃水溝が設置され、効果的に廃水を収められると同時に水晶テーブルの美しさに影響を与えなく、実用性がある。
【００１６】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は特許請求に限定された保護範囲を基準とするべきである。
【図１】
2020182779.tif 000003
【図２】
2020182779.tif 000004
【図３】
2020182779.tif 000005
【図４】
2020182779.tif 000006
【図５】
2020182779.tif 000007
【手続補正書】
【提出日】令和1年11月12日(2019.11.12)
【手続補正１】
【補正対象書類名】特許請求の範囲
【補正対象項目名】請求項１
【補正方法】変更
【補正の内容】
【請求項１】
正面視で、ボディーと前記ボディーの上方に位置しているテーブル面と前記ボディーの下方に設置された台座とを含み、前記ボディーの左右端壁の中には外に開口したスライドチャンバが設置され、前記スライドチャンバの底壁の中には伝動チャンバが設置され、前記スライドチャンバの中にはスライドブロックがスライドできるように設置され、前記スライドブロックの中には第一ねじ穴が設置され、前記第一ねじ穴の中には第一ねじロッドがねじ山によって連結され、前記第一ねじロッドの底部が前記伝動チャンバの中に伸びており、また前記第一ねじロッドの外表面には第一ベベルギヤが固定的に設置され、左側の前記第一ねじロッド底部が前記伝動チャンバの底壁の中に固定的に設置された第一モーターと動力が伝達できるように連結され、左右二つの前記伝動チャンバの間には切換チャンバが設置され、前記切換チャンバの後側壁の中には動力チャンバが設置され、前記切換チャンバの中には固定ブロックがスライドできるように設置され、前記固定ブロックの後側壁の中には第二モーターが固定的に設置され、前記第二モーターの出力軸の末端には第一ギヤが固定的に設置され、前記固定ブロックの中には左右に貫通している第二ねじ穴が設置され、前記第二ねじ穴の中には左右に伸びている第二ねじロッドがねじ山によって連結され、前記第二ねじロッドの左右両側の末端が前記伝動チャンバの中に伸びており、また前記第二ねじロッドの左右両側の末端には前記第一ベベルギヤと噛み合っている第二ベベルギヤが固定的に設置され、前記ボディーの頂壁の中には左右対称の第一スライド穴と左右二つの前記第一スライド穴の間に位置している空きチャンバとが設置され、前記空きチャンバの中には取り外し可能な廃水桶が設置され、前記第一スライド穴の中には前記テーブル面と固定的に連結された第一スライドロッドがスライドできるように設置され、前記第一スライドロッドと前記第一スライド穴の端壁との間には第一復帰装置が弾性を持つように設置され、前記第一スライドロッドの端壁には凹溝が設置され、前記第一スライド穴の端壁の中には第二スライド穴が設置され、前記第二スライド穴の中には第一ラックがスライドできるように設置され、前記第一ラックと前記第二スライド穴の端壁との間には第二復帰装置が弾性を持つように設置され、前記スライドチャンバの端壁の中には第三スライド穴が設置され、前記第三スライド穴の中には第二ラックが設置され、前記第二スライド穴と前記第三スライド穴との間にはギヤチャンバが連通するように設置され、前記ギヤチャンバの中には前記第一ラックと前記第二ラックと噛み合っている第二ギヤが回転できるように設置され、前記テーブル面の頂壁の中には上方に開口した導水溝が設置され、前記導水溝の底壁の中には左右対称の抜き穴が設置され、前記テーブル面の左右端壁の中には外に開口した第四スライド穴が設置され、前記第四スライド穴の中には第二スライドロッドがスライドできるように設置され、前記第二スライドロッドと前記第四スライド穴の端壁との間には第三復帰装置が弾性を持つように設置され、前記第二スライドロッドの外側壁にはヒンジロッドがヒンジで連結され、前記ヒンジロッドの底部末端が前記スライドブロックの端壁にヒンジで連結され、前記第二スライドロッドが移動して前記抜き穴を開け、前記テーブル面に残した液体が前記廃水桶の中に流れ込むことを特徴とする調節しやすい水晶テーブル。
【手続補正２】
【補正対象書類名】明細書
【補正対象項目名】全文
【補正方法】変更
【補正の内容】
【発明の詳細な説明】
【技術分野】
【０００１】
本発明はテーブル分野に関わり、具体的には調節しやすい水晶テーブルである。
【背景技術】
【０００２】
水晶が美しいため、人々は常に水晶を使って日用品を作り、既存の水晶テーブルは体積が大きくて質量が重く、高度を調節しにくく、また使用の時にテーブルを回すことが容易ではなく、そして伝統的な水晶テーブル面に溜まった水を取り除きにくく、水晶テーブルの使用に影響を与え、したがって、上記の問題を解決するため、調節しやすい水晶テーブルの発明は必要となる。
【先行技術文献】
【特許文献】
【０００３】
【特許文献１】中国特許出願公開第１０７９６９７９７号明細書
【発明の概要】
【発明が解決しようとする課題】
【０００４】
本発明は調節しやすい水晶テーブルを提供し、既存技術にある上記の欠点を解消し、設備の実用性を高めることを目的とする。
【課題を解決するための手段】
【０００５】
本発明の調節しやすい水晶テーブルは、ボディーと前記ボディーの上方に位置しているテーブル面と前記ボディーの下方に設置された台座とを含み、前記ボディーの左右端壁の中には外に開口したスライドチャンバが設置され、前記スライドチャンバの底壁の中には伝動チャンバが設置され、前記スライドチャンバの中にはスライドブロックがスライドできるように設置され、前記スライドブロックの中には第一ねじ穴が設置され、前記第一ねじ穴の中には第一ねじロッドがねじ山によって連結され、前記第一ねじロッドの底部が前記伝動チャンバの中に伸びており、また前記第一ねじロッドの外表面には第一ベベルギヤが固定的に設置され、左側の前記第一ねじロッド底部が前記伝動チャンバの底壁の中に固定的に設置された第一モーターと動力が伝達できるように連結され、左右二つの前記伝動チャンバの間には切換チャンバが設置され、前記切換チャンバの後側壁の中には動力チャンバが設置され、前記切換チャンバの中には固定ブロックがスライドできるように設置され、前記固定ブロックの後側壁の中には第二モーターが固定的に設置され、前記第二モーターの出力軸の末端には第一ギヤが固定的に設置され、前記固定ブロックの中には左右に貫通している第二ねじ穴が設置され、前記第二ねじ穴の中には左右に伸びている第二ねじロッドがねじ山によって連結され、前記第二ねじロッドの左右両側の末端が前記伝動チャンバの中に伸びており、また前記第二ねじロッドの左右両側の末端には前記第一ベベルギヤと噛み合っている第二ベベルギヤが固定的に設置され、前記ボディーの頂壁の中には左右対称の第一スライド穴と左右二つの前記第一スライド穴の間に位置している空きチャンバとが設置され、前記空きチャンバの中には取り外し可能な廃水桶が設置され、前記第一スライド穴の中には前記テーブル面と固定的に連結された第一スライドロッドがスライドできるように設置され、前記第一スライドロッドと前記第一スライド穴の端壁との間には第一復帰装置が弾性を持つように設置され、前記第一スライドロッドの端壁には凹溝が設置され、前記第一スライド穴の端壁の中には第二スライド穴が設置され、前記第二スライド穴の中には第一ラックがスライドできるように設置され、前記第一ラックと前記第二スライド穴の端壁との間には第二復帰装置が弾性を持つように設置され、前記スライドチャンバの端壁の中には第三スライド穴が設置され、前記第三スライド穴の中には第二ラックが設置され、前記第二スライド穴と前記第三スライド穴との間にはギヤチャンバが連通するように設置され、前記ギヤチャンバの中には前記第一ラックと前記第二ラックと噛み合っている第二ギヤが回転できるように設置され、前記テーブル面の頂壁の中には上方に開口した導水溝が設置され、前記導水溝の底壁の中には左右対称の抜き穴が設置され、前記テーブル面の左右端壁の中には外に開口した第四スライド穴が設置され、前記第四スライド穴の中には第二スライドロッドがスライドできるように設置され、前記第二スライドロッドと前記第四スライド穴の端壁との間には第三復帰装置が弾性を持つように設置され、前記第二スライドロッドの外側壁にはヒンジロッドがヒンジで連結され、前記ヒンジロッドの底部末端が前記スライドブロックの端壁にヒンジで連結され、前記第二スライドロッドが移動して前記抜き穴を開け、前記テーブル面に残した液体が前記廃水桶の中に流れ込む。
【０００６】
好ましくは、前記動力チャンバの前側壁の中にはウォームホイールチャンバと前記ウォームホイールチャンバの右側に位置している噛み合いチャンバとが設置され、前記噛み合いチャンバと前記動力チャンバとの間には第一回転軸が回転できるように設置され、前記噛み合いチャンバの中にある前記第一回転軸の末端には第三ギヤが固定的に設置され、前記噛み合いチャンバの中にある前記第一回転軸の末端には第三ベベルギヤが固定的に設置され、前記ウォームホイールチャンバと前記動力チャンバとの間にはウォームが回転できるように設置され、前記動力チャンバの中にある前記ウォームの末端には第四ギヤが固定的に設置され、前記ウォームホイールチャンバの底壁の中にはスプラインスリーブが回転できるように設置され、前記ウォームホイールチャンバの中にある前記スプラインスリーブの末端には第五ギヤが固定的に設置され、前記スプラインスリーブの底壁の中には下方に開口したスプライン穴が設置され、前記台座の頂壁には支持柱が固定的に設置され、前記支持柱の外表面には外リングギヤが固定的に設置され、前記支持柱の外表面には回転架台が回転できるように設置され、前記回転架台の中には上下に伸びているスプライン軸が回転できるように設置され、前記スプライン軸の底部末端には前記外リングギヤと噛み合っている第六ギヤが固定的に設置され、前記スプライン軸の頂部末端が前記スプライン穴の中に伸びており、また前記スプライン穴とスプラインによって結合され、前記支持柱の頂壁の中には上方に開口した第三ねじ穴が設置され、前記第三ねじ穴の中には上方へ伸びている第三ねじロッドがねじ山によって連結され、前記第三ねじロッドの頂部が前記噛み合いチャンバの中に伸びており、また前記第三ねじロッドの頂部末端には前記第三ベベルギヤと噛み合っている第四ベベルギヤが固定的に設置され、前記ウォームが回転して前記スプラインスリーブの頂部に設置されたウォームホイールと前記第六ギヤとを回転連動させ、それによって前記ボディーを連動させて前記支持柱を回って回転させる。
【発明の効果】
【０００７】
本発明の有益な効果は：本発明の設備は回転を行うことができ、同時に設備の高度を調節でき、ボディーの内部には廃水溝が設置され、効果的に廃水を収められると同時に水晶テーブルの美しさに影響を与えなく、実用性がある。
【図面の簡単な説明】
【０００８】
本発明の実施例又は既存技術の技術プランを詳しく説明するため、下記には実施例又は既存技術の説明に所要の付図を簡単に紹介し、明らかに下記の説明の付図はただ本発明の実施例であり、本分野の普通の技術員にとって、創造的な労働をしない場合、下記の付図から他の付図をもらえることができ、下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【０００９】
【図１】図１は本発明の調節しやすい水晶テーブルの全体構造略図
【図２】図２は図１の中のＡの拡大構造略図
【図３】図３は図１の中のＢ―Ｂの構造略図
【図４】図４は図１の中のＣ―Ｃの構造略図
【図５】図５は図４の中のＤ―Ｄの構造略図
【発明を実施するための形態】
【００１０】
本説明書における公開したあらゆる特徴あるいは公開したあらゆる方法と過程でのステップは、お互いに反発する特徴とステープを除き、どの方式でも組み合わせる。
【００１１】
図１〜５に示すように、本発明の調節しやすい水晶テーブルは、ボディー１０と前記ボディー１０の上方に位置しているテーブル面３６と前記ボディー１０の下方に設置された台座１４とを含み、前記ボディー１０の左右端壁の中には外に開口したスライドチャンバ３８が設置され、前記スライドチャンバ３８の底壁の中には伝動チャンバ４２が設置され、前記スライドチャンバ３８の中にはスライドブロック４０がスライドできるように設置され、前記スライドブロック４０の中には第一ねじ穴３９が設置され、前記第一ねじ穴３９の中には第一ねじロッド３７がねじ山によって連結され、前記第一ねじロッド３７の底部が前記伝動チャンバ４２の中に伸びており、また前記第一ねじロッド３７の外表面には第一ベベルギヤ２３が固定的に設置され、左側の前記第一ねじロッド３７底部が前記伝動チャンバ４２の底壁の中に固定的に設置された第一モーター２２と動力が伝達できるように連結され、左右二つの前記伝動チャンバ４２の間には切換チャンバ６５が設置され、前記切換チャンバ６５の後側壁の中には動力チャンバ６０が設置され、前記切換チャンバ６５の中には固定ブロック６３がスライドできるように設置され、前記固定ブロック６３の後側壁の中には第二モーター６２が固定的に設置され、前記第二モーター６２の出力軸の末端には第一ギヤ６１が固定的に設置され、前記固定ブロック６３の中には左右に貫通している第二ねじ穴６４が設置され、前記第二ねじ穴６４の中には左右に伸びている第二ねじロッド６６がねじ山によって連結され、前記第二ねじロッド６６の左右両側の末端が前記伝動チャンバ４２の中に伸びており、また前記第二ねじロッド６６の左右両側の末端には前記第一ベベルギヤ２３と噛み合っている第二ベベルギヤ４１が固定的に設置され、前記ボディー１０の頂壁の中には左右対称の第一スライド穴２９と左右二つの前記第一スライド穴２９の間に位置している空きチャンバ３４とが設置され、前記空きチャンバ３４の中には取り外し可能な廃水桶３３が設置され、前記第一スライド穴２９の中には前記テーブル面と固定的に連結された第一スライドロッド３１がスライドできるように設置され、前記第一スライドロッド３１と前記第一スライド穴２９の端壁との間には第一復帰装置３０が弾性を持つように設置され、前記第一スライドロッド３１の端壁には凹溝４８が設置され、前記第一スライド穴２９の端壁の中には第二スライド穴４５が設置され、前記第二スライド穴４５の中には第一ラック４７がスライドできるように設置され、前記第一ラック４７と前記第二スライド穴４５の端壁との間には第二復帰装置４６が弾性を持つように設置され、前記スライドチャンバ３８の端壁の中には第三スライド穴５２が設置され、前記第三スライド穴５２の中には第二ラック５１が設置され、前記第二スライド穴４５と前記第三スライド穴５２との間にはギヤチャンバ４９が連通するように設置され、前記ギヤチャンバ４９の中には前記第一ラック４７と前記第二ラック５１と噛み合っている第二ギヤ５０が回転できるように設置され、前記テーブル面３６の頂壁の中には上方に開口した導水溝３５が設置され、前記導水溝３５の底壁の中には左右対称の抜き穴３２が設置され、前記テーブル面３６の左右端壁の中には外に開口した第四スライド穴２８が設置され、前記第四スライド穴２８の中には第二スライドロッド２７がスライドできるように設置され、前記第二スライドロッド２７と前記第四スライド穴２８の端壁との間には第三復帰装置２６が弾性を持つように設置され、前記第二スライドロッド２７の外側壁にはヒンジロッド２４がヒンジで連結され、前記ヒンジロッド２４の底部末端が前記スライドブロック４０の端壁にヒンジで連結され、前記第二スライドロッド２７が移動して前記抜き穴３２を開け、前記テーブル面３６に残した液体が前記廃水桶３３の中に流れ込む。
【００１２】
有益なように、前記動力チャンバ６０の前側壁の中にはウォームホイールチャンバ５６と前記ウォームホイールチャンバ５６の右側に位置している噛み合いチャンバ４３とが設置され、前記噛み合いチャンバ４３と前記動力チャンバ６０との間には第一回転軸５８が回転できるように設置され、前記噛み合いチャンバ４３の中にある前記第一回転軸５８の末端には第三ギヤ５９が固定的に設置され、前記噛み合いチャンバ４３の中にある前記第一回転軸５８の末端には第三ベベルギヤ５７が固定的に設置され、前記ウォームホイールチャンバ５６と前記動力チャンバ６０との間にはウォーム５４が回転できるように設置され、前記動力チャンバ６０の中にある前記ウォーム５４の末端には第四ギヤ５３が固定的に設置され、前記ウォームホイールチャンバ５６の底壁の中にはスプラインスリーブ１９が回転できるように設置され、前記ウォームホイールチャンバ５６の中にある前記スプラインスリーブ１９の末端には第五ギヤ５３が固定的に設置され、前記スプラインスリーブ１９の底壁の中には下方に開口したスプライン穴２０が設置され、前記台座１４の頂壁には支持柱１５が固定的に設置され、前記支持柱１５の外表面には外リングギヤ１３が固定的に設置され、前記支持柱１５の外表面には回転架台１２が回転できるように設置され、前記回転架台１２の中には上下に伸びているスプライン軸１８が回転できるように設置され、前記スプライン軸１８の底部末端には前記外リングギヤ１３と噛み合っている第六ギヤ１７が固定的に設置され、前記スプライン軸１８の頂部末端が前記スプライン穴２０の中に伸びており、また前記スプライン穴２０とスプラインによって結合され、前記支持柱１５の頂壁の中には上方に開口した第三ねじ穴１６が設置され、前記第三ねじ穴１６の中には上方へ伸びている第三ねじロッド１１がねじ山によって連結され、前記第三ねじロッド１１の頂部が前記噛み合いチャンバ４３の中に伸びており、また前記第三ねじロッド１１の頂部末端には前記第三ベベルギヤ５７と噛み合っている第四ベベルギヤ４４が固定的に設置され、前記ウォーム５４が回転して前記スプラインスリーブ１９の頂部に設置されたウォームホイール５５と前記第六ギヤ１７とを回転連動させ、それによって前記ボディー１０を連動させて前記支持柱１５を回って回転させる。
【００１３】
以下、出願人は付図１〜５及び上記本出願の調節しやすい水晶テーブルの具体的な構成を参考して本願の調節しやすい水晶テーブルの作動の流れを詳しく紹介する：
【００１４】
本水晶テーブルを使う時、第二モーター６２が起動して第一ギヤ６１を回転連動させ、それによって第四ギヤ５３を回転連動させ、それによってウォーム５４と、ウォームホイール５５と第六ギヤ１７とを回転連動させ、それによってボディー１０を連動させて支持柱１５を回って回転させて位置を調節し、本発明の調節しやすい水晶テーブルで操作した後に第一モーター２２が第二ねじロッド３７を回転連動させ、それによってスライドブロック４０を上方へ移動連動させ、スライドブロック４０が上方へ移動してヒンジロッド２４を上方へ移動連動させて第二スライドロッド２７を引き動かして第四スライド穴２８から移り出し、この時に抜き穴３２が開き、テーブル面３６に残した液体が廃水桶３３の中に流れ込み、スライドブロック４０が上方へ移動し続け、スライドブロック４０が第二ラック５１と当接する時、第一ラック４７が移動して凹溝４８を出て、この時に第一スライドロッド３１が第一復帰装置３０の作用の下で上方へ移動し、同時に第二スライドロッド２７が第三復帰装置２６の作用の下で第四スライド穴２８の中に引き込まれ、この時にテーブル面３６がボディー１０から分離したため、廃水桶３３を取り出すことに便利を与え、同時に第一モーター２２が回転して第一ねじロッド６６を回転連動させ、それによって固定ブロック６３を右方へ移動連動させ、それによって第一ギヤ６１を連動させて第五ギヤ５９と噛み合わせ、この時に第二モーター６２が起動して第二モーター６２の回転が第一ギヤ６１と、第五ギヤ５９と、第三ベベルギヤ５７と、第四ベベルギヤ４４と第三ねじロッド１１とを回転連動させ、それによってボディー１０を上方へ移動連動させ、それによって設備の高度を調節し、調節が終わった後に第一モーター２２が起動して第一モーター２２の反転がスライドブロック４０を下方へ移動連動させ、それによってテーブル面３６を下方へ移動連動させ、設備が初期状態に戻り、使用に便利を与える。
【００１５】
以上の詳しい分析からわかっているのは：本発明の設備は回転を行うことができ、同時に設備の高度を調節でき、ボディーの内部には廃水溝が設置され、効果的に廃水を収められると同時に水晶テーブルの美しさに影響を与えなく、実用性がある。
【００１６】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は特許請求に限定された保護範囲を基準とするべきである。